(57)【要約】      （修正有）【課題】一般家庭でよく使用されているプランターなど簡易的な容器で行われている家庭菜園に最適な、植物栽培・育成用ＬＥＤランプスタンドを提供する。【解決手段】植物栽培・育成用ＬＥＤランプスタンド１は、一般家庭で使用される形態のランプスタンド１で、そのＬＥＤ光源４は植物栽培・育成の最適な、発光波長４００〜５００ｎｍの青光と６００〜７００ｎｍ赤光を混合して照射するとともに、ランプスタンド１の形態は基部２にランプスタンド１の安定性を増すための重量部となっており、当該部より突出する形態でアーム３が伸び、そのアーム３先端部にＬＥＤ光源４が設けられている。【選択図】図１
2016140353.tif 000002
【特許請求の範囲】
【請求項１】
発光波長４００〜５００ｎｍの青光と６００〜７００ｎｍ赤光を混合して照射する、植物栽培・育成用ＬＥＤランプスタンドで、ランプスタンドの形態は基部にランプスタンドの安定性を増すための重量部となっており、当該部より突出する形態でアームが伸び、そのアーム先端部にＬＥＤ光源が設けられていることを特徴とする植物栽培・育成用ＬＥＤランプスタンド。
【請求項２】
ランプスタンドの基部にＬＥＤを点灯させるための点灯電源を具備したことを特徴とする、請求項１記載の植物栽培・育成用ＬＥＤランプスタンド。
【請求項３】
ランプスタンド基部より突出するアームは基部との接続部、アーム内において照射方向をコントロールできるように屈曲、回転するなどして、自由に動くことが可能なことを特徴とする、請求項１〜２記載の植物栽培・育成用ＬＥＤランプスタンド。
【請求項４】
ランプスタンド基部がクリップ形式で固定できる方式の、請求項１〜３記載の植物栽培・育成用ＬＥＤランプスタンド。
【発明の詳細な説明】
【技術分野】
【０００１】本発明は、植物栽培・育成用ＬＥＤランプスタンドに関するものである。
【背景技術】
【０００２】  近年、植物工場などの植物育成用光源としてＬＥＤ光源が使用されてきている。また、一般家庭では簡易的にプランターなどを利用して、ハーブや葉物野菜類を育てるプランター家庭菜園が人気を呼んでいる。このプランター家庭菜園を室内で生育するための植物育成用光源として、植物工場などで使用されているＬＥＤ光源や植物栽培・育成装置は、大きすぎる欠点があった。
【先行技術文献】
【特許文献１】  特開２０１４−１６８４３２号公報
【発明の概要】
【発明が解決しようとする課題】
【０００３】  上述の特許文献１に示したＬＥＤ植物栽培装置は、箱型の栽培装置の上部にＬＥＤ光源ユニットと下部に栽培台を有する構成である。本特許文献１事例は一般家庭でも使用できるユニット形状のＬＥＤ植物栽培・育成装置であるが、専用の装置であり、一般家庭でよく行われているプランターなどを使用した家庭菜園とは全く別の植物栽培・育成装置である【０００４】  本発明は上記問題点に鑑みてなされたもので、その目的とするところは、一般家庭でよく使用されているプランターなど簡易的な容器で行われているプランター家庭菜園に最適な、植物栽培・育成用ＬＥＤランプスタンドを提供することにある。【０００５】  本発明の植物栽培・育成用ＬＥＤランプスタンドは、一般家庭で使用される形態のランプスタンドで、その光源を植物栽培・育成の最適な、発光波長４００〜５００ｎｍの青光と６００〜７００ｎｍ赤光を混合して照射する。ランプスタンドの形態は基部にランプスタンドの安定性を増すための重量部となっており、当該部より突出する形態でアームが伸び、そのアーム先端部にＬＥＤ光源が設けられている。【０００６】  ランプスタンドの基部にはＬＥＤを点灯させるための点灯電源を具備してもよく、その他の方法で転倒しない重量が装備できる場合は、ＬＥＤ点灯電源を外部接続方式としてもよい。また重量で安定させる他に、重量物の代替としてクリップを取り付け、適宜クリップにて挟みこみ保持固定する方式でも良い。【０００７】  ランプスタンド基部より突出するアームは基部との接続部、アーム内において照射方向をコントロールできるように屈曲、回転するなどして、自由に動くことが好ましい。
【発明の効果】
【図面の簡単な説明】
【０００８】
【図１】本発明の全体斜視図である。（１）は植物栽培・育成ＬＥＤランプスタンド、（２）はランプスタンド基部、（３）はアーム、（４）はＬＥＤ光源である。
【図２】は本発明の一実施例であるアーム（３）の先端に、設けられたＬＥＤ光源（４）形状を示したものあり、（４−ａ）は先端ＬＥＤ光源が一列配置のもの、（４−ｂ）は先端ＬＥＤ光源が複数列配置の例である。
【図３】は本発明の一実施例であるＬＥＤランプスタンドを用いて植物栽培・育成プランターと組合せ使用している図で、（１）は植物栽培・育成ＬＥＤランプスタンド、（５）は植物栽培・育成プランターである。
【発明を実施するための形態】
【０００９】  以下に照明器具の実施形態について図１〜図３を参照して説明する。
【００１０】  本実施形態の植物栽培・育成ＬＥＤランプスタンドは、図１に示すように、卓上形のランプスタンドであり、重量により安定させるランプスタンド基部（２）と、基部（２）より突出するアーム（３）とアーム（３）先端部に設けられたＬＥＤ光源部（４）を備える。
【００１２】  基部（２）は、内部にＬＥＤ点灯電源（図示せず）を内蔵または、他の重量物を内臓（図示せず）、あるいは厚肉板金を用いて重量体として、安定性を高めている。さらに基部（２）にはアーム（３）が突出するように取り付けられている。
【００１３】  アーム（３）は図１にように略中央部が屈曲できるようになっており、基部との取り付け部で回転する機構を有している。さらに、アーム（３）の先端にはＬＥＤ光源部（４）が設けられている。アーム（３）は略中央部で屈曲したり、基部との接続部で回転できるなどして、自由に照射方向が変えれる機構を備えている。説明では屈曲部や回転機構で説明したが、目的とするところは栽培する植物へ自由にＬＥＤの光照射ができればよく、蛇腹などの自由な曲率ができる機構でもよい。
【００１４】  アーム先端のＬＥＤ光源（４）は図２に示すようにアーム（３）形状に沿って直線状に複数個配設されている。本実施例では直列状に配設されているが、形状には規制はなく複数列や、円形状、矩形状でもよい。
【００１５】  次に本発明の実施例にて説明する。植物栽培・育成プランター（５）に植栽された、ハーブや葉物野菜を栽培するには、その植物栽培・育成プランターを屋外に設置して、栽培・育成するのが一般的である。しかしながら屋外に設置した場合は害虫などによる食害の恐れがある。本発明はこのような恐れがあるときに使用されるもので、植物栽培・育成プランター（５）を屋内に設置し、太陽光の代替として本発明の植物栽培・育成ＬＥＤランプスタンド（１）で、植物栽培・育成の最適な、発光波長４００〜５００ｎｍの青光と６００〜７００ｎｍ赤光を混合して照射する。
【００１６】  植物栽培・育成ＬＥＤランプスタンドの光照射により、植物栽培・育成プランター（５）で育成されているハーブ・葉物野菜等の植物類は屋外太陽光下での育成と同等の効果が得られる。
【符号の説明】
【００１７】（１）植物栽培・育成ＬＥＤランプスタンド
（２）植物栽培・育成ＬＥＤランプスタンドの基部
（３）植物栽培・育成ＬＥＤランプスタンドのアーム
（４）ＬＥＤ光源
（５）プランター
【図１】
2016140353.tif 000003
【図２】
2016140353.tif 000004
【図３】
2016140353.tif 000005